(57)【要約】      （修正有）【課題】パッキン一体型逆止弁は、水道メータ２次側に設定され、２次側からの逆流を防止してきたが、逆止弁等が２次側に流されるのを防止する支持構造が無いため、支柱破損等により支持が失われると、逆止弁等が配管下流に流され、回収が困難となるばかりか配管を詰まらせていた。交換、メンテナンス作業が極めて容易となる逆止弁の取付構造を提供する。【解決手段】水道メータ１次側に設定される伸縮管ユニット２の２次側端部に逆止弁カートリッジ１の収嵌スペース２６を設け、２次側端部に水道メータ１次側端面と伸縮管ユニット２の２次側端面に挟着されるフランジ体を有するパッキンを一体に形成した逆止弁カートリッジ１を収嵌して水道メータ１次側に逆止弁を装嵌設定するようにした。【選択図】図１
2015086962.tif 000002
【特許請求の範囲】
【請求項１】
水道メータ１次側に設定される伸縮管ユニットの２次側端部に逆止弁カートリッジの収嵌スペースを設け、同収嵌スペースに、２次側端部に水道メータ１次側端面と伸縮管ユニットの２次側端面に挟着されるフランジ体を有するパッキンを一体に形成した逆止弁カートリッジを収嵌すると共に、伸縮管ユニットの２次側端部と水道メータ１次側端部とを接合して水道メータ１次側に逆止弁を装嵌することを特徴とする逆止弁の装嵌構造
【請求項２】
逆止弁カートリッジの２次側端部に、水道メータ１次側端面と伸縮管ユニットの２次側端面に挟着されるフランジ体を有するパッキンを一体に形成したことを特徴とするパッキン一体型逆止弁
【請求項３】
逆止弁カートリッジの２次側端部に形成するフランジ体を、合成樹脂製のカートリッジケージの後端に着合させた金属躯体によって形成し、その金属躯体のフランジ部にゴム製等弾性素材によるガスケットを着装して構成するようにした請求項２記載のパッキン一体型逆止弁
【請求項４】
１次側に既設配管との接合構造を設け、２次側端部に逆止弁カートリッジの収嵌スペースを設けると共に、伸縮管本体の２次側端部に水道メータ１次側端部との接合構造を設定したことを特徴とする伸縮管ユニット
【発明の詳細な説明】
【技術分野】
【０００１】
本発明は、水道メータ１次側に設定する逆止弁の装嵌構造とこれに用いるパッキン一体型逆止弁及び伸縮管ユニットに関するものである。
【背景技術】
【０００２】
従来、パッキン一体型逆止弁は、水道メータ２次側の接続継手の内径部に設定され、２次側からの逆流が水道メータ内から１次側へのを逆流するのを防止してきたが、逆止弁本体が２次側に流されるのを防止する支持構造が無いため、逆止弁本体の支柱破損等により逆止弁本体の支持が失われると、逆止弁本体や部品が配管下流に流され、回収が困難となるばかりか配管を詰まらせて、除去のために配管の解体等、多大な労力と時間を要するという問題があった。
【０００３】
逆止弁が水道メータの２次側内径部に設定される限り、確固たる逆止弁２次側での支持固定が困難であることから、水道メータ１次側での逆止弁設定が検討されたが、一般的に水道メータ１次側には伸縮止水栓が設置されており、水道メータの１次側と接続する既設配管の伸縮管の内径部には逆止弁を設定することは不可能という事情がある。
【先行技術文献】
【特許文献】
【０００４】
上記の問題に対応して、弁軸を弁孔の下流側に固定する合成樹脂製のケージを金属製の補強材によって補強しようとする特許文献１の提案、水道メータ１次側の止水栓に逆止弁を組み込む特許文献２のような提案、フランジ部を有するパッキン一体型逆止弁を２次側のジョイント管の貫通孔に収嵌して１次側ジョイント管の止水端面と２次側ジョイント管の止水端面の間にフランジ部を挟持する特許文献３の提案が存在する。
【０００５】
また、１次側に逆止弁を設定することについては、濾過整流板を弁座を介して設定した逆止弁ユニットのバルブケースを伸縮管に構成した出願人による特許文献４の発明、伸縮ソケットに逆止弁を収納する特許文献５の意匠も存在する。
【特許文献１】特開２０１０−２７６０３７号公報
【特許文献２】特開平７−２８０１１４号公報
【特許文献３】特開２００９−１１５１４７号公報
【特許文献４】特開２００８−１４３５２号公報
【特許文献５】第１０９２７９２号意匠登録公報
【発明の概要】
【発明が解決しようとする課題】
【０００６】
しかしながら、特許文献１及び特許文献３の発明は、何れも、逆止弁の設定自体は２次側であるため、逆止弁の本体や部材が流失した場合、２次側配管内への流入を避けることができない問題が残り、特許文献５の意匠による逆止弁は弁機構後端を固定する構成がなく開放されているため、１次側から２次側への流圧が高くなると弁機構がソケットから飛び出してメータ内に入り込んでしまう危険を抱えている。
【０００７】
また、特許文献２及び特許文献４の発明は、逆止弁の交換、メンテナンスの際に止水栓の上部、或は、伸縮管ユニットを取り外さなければならず、多大な時間と面倒な取り外し作業が必要という問題がある。更に、特許文献１及び特許文献３の図示によって判るように従来のパッキン一体型逆止弁は、収嵌スペースへの固定機構であるフランジ体の後部２次側に弁機構部が設定されているため、１次側から２次側への流圧に対して逆止弁カートリッジケージを後方で支えものがなく破損し易い状態となっている。
【課題を解決するための手段】
【０００８】
本発明は上記した課題に対応しようとするものであり、逆止弁の交換、メンテナンス作業の容易さを保ちつつ既設配管にも対応できるように、水道メータ１次側に設定される伸縮管ユニットの２次側端部に逆止弁カートリッジの収嵌スペースを設け、同収嵌スペースに、２次側端部に水道メータ１次側端面と伸縮管ユニットの２次側端面に挟着されるフランジ体を有するパッキンを一体に形成した逆止弁カートリッジを収嵌すると共に、伸縮管ユニットの２次側端部と水道メータ１次側端部とを接合して水道メータ１次側に逆止弁を装嵌するようにした。
【０００９】
このように構成することにより、逆止弁機構部を収容するカートリッジケージの後端に一体に着合されるフランジ体を有するパッキンが水道メータ１次側端面と伸縮管ユニットの２次側端面に挟着されてカートリッジ後端を構造的に固定すると共に、カートリッジとしてユニット化された弁機構を、伸縮管ユニットにパッキンと一体的にその収嵌スペースに挿脱可能に収嵌することができるものである。
【００１０】
またフランジ体を有するパッキンは、カートリッジケージの後端に一体に着合して１次側から２次側への流圧に対しての支持力を強化すると共に、フランジ体を合成樹脂製のカートリッジケージの後端にスナップフィットさせた金属躯体によって形成し、フランジ部にゴム製ガスケットを着装して構成することにより、カートリッジケージの堅牢性を強化した。
【００１１】
以上のような構成にしたことにより、既設配管の場合でも伸縮管ユニットを交換することにより、水道メータ１次側へのパッキン一体型逆止弁の取付が可能となる。
【発明の効果】
【００１２】
本発明は、上記のように逆止弁カートリッジが伸縮管ユニットと一体的に固定収嵌されるので１次側配管の止水栓と水道メータ１次側の端面に構造的に固定され、水道メータ１次側への逆止弁の設定が可能となり、逆止弁の交換、メンテナンス作業が極めて容易となると共に、逆止弁やその部品等の２次側配管内への流失を防止できる効果がある。
【図面の簡単な説明】
【００１３】
【図１】本発明の実施例を示すもので、止水状態の止水栓に接合した伸縮管ユニットに逆止弁カートリッジを装嵌する状況を示す止水栓、伸縮管ユニット、逆止弁カートリッジの各要部を切欠断面とした分解側面図
【図２】同じく、伸縮管ユニットの収嵌スペースに逆止弁カートリッジを収嵌した状態を示す伸縮管ユニットと逆止弁カートリッジの縦断面側面図
【図３】同じく、止水栓２次側と水道メータ１次側の間に、伸縮管ユニットを介して逆止弁を設定した状態を示す、要部を切欠断面とした止水栓２次側と水道メータ１次側連結部の部分拡大縦断面側面図
【図４】同じく、伸縮管ユニットに収嵌される逆止弁カートリッジの実施例を示す拡大縦断面側面図
【図５】同じく、伸縮管ユニットに収嵌される逆止弁カートリッジの他の実施例を示す拡大縦断面側面図
【発明を実施するための形態】
【００１４】
以下、図面を参照して本発明の実施の形態について詳細に説明すると、１は逆止弁カートリッジの本体で、１次側に弁座１２を嵌合し、同弁座１２に接触開閉する弁体１３をスプリング１４によって１次側に付勢させて支持収納するカートリッジケージ１１と、カートリッジケージ１１の２次側端部に着合するフランジ躯体１５と、同フランジ躯体１５のフランジ部１５ａに嵌装されるゴム等の弾性素材によるガスケット１５ｂによって構成されるフランジ体１６とから成る。
【００１５】
フランジ躯体１５は、合成樹脂によりカートリッジケージ１１と一体成形しても良いが、より強度のある金属等としてカートリッジケージ１１の２次側端部に嵌着、或はスナップフィット等により固着することにより、強度を高めることができ、より堅牢な逆止弁カートリッジ１を構成することができる。
【００１６】
２は伸縮管ユニットで、両端に嵌合突起２２、２３を設けた伸縮管２１と、１次側配管の止水栓３の２次側端部雄螺子３１と螺合する袋ナット２４、水道メータ４の１次側端部４１と螺合する袋ナット２５から成る。
【００１７】
嵌合突起２２は、１次側配管の止水栓３の通水路３２の内径にＯリング２２ａとパッキン２２ｂにより水密性を保ちつつ摺動可能に伸縮管２１を装嵌し、嵌合突起２３は袋ナット２５の内周端と金属リング２３ａを介して掛合して水道メータ４の１次側端部４１と接合する。伸縮管２１の２次側端部には、通水路２７に連通して逆止弁カートリッジ１を収嵌する収嵌スペース２６が設定されている。
【００１８】
以上のように構成された伸縮管２１は、既設配管の場合は止水栓を閉止し伸縮管ユニットを取り外して対応可能な新しい伸縮管ユニットを取り付ける。新設の場合は止水栓３の通水路３２の内径に１次側端部を挿入して止水栓３の２次側端部外周に設けられた雄螺子３１に袋ナット２４を螺合して伸縮管２１の１次側を止水栓３に螺締する。
【００１９】
次いで、伸縮管２１の２次側から逆止弁カートリッジ１を挿入し、収嵌スペース２６に装嵌すれば、逆止弁カートリッジ１のフランジ体１６が伸縮管２１の２次側周端面とアンカー状に接面する。
【００２０】
更に、水道メータ４の１次側端部４１の外周に設けられた雄螺子４２に袋ナット２５を螺合して伸縮管２１の２次側を水道メータ４の１次側に螺締すれば、フランジ体１６は伸縮管２１の２次側周端面と水道メータ４の１次側端面に挟着され、安定した支持構造を形成して１次側から２次側への流圧に対して逆止弁カートリッジのケージを後方から強力に支えることができる。
【００２１】
逆止弁カートリッジ１の１次側端部外周面にはＯリング１７が設定され、逆流時に逆止弁止弁カートリッジ外周を流れる水を止水するようになっているが、逆止弁の設定環境によっては図５に示すように逆止弁カートリッジ１の１次側端面にＯリング１７を設定する。
【００２２】
以上のようにして水道メータ４の１次側に逆止弁を設定した後、止水栓３のバルブを開栓して設定を終わるのであるが、本発明においては伸縮管２１の収嵌スペース２６に逆止弁カートリッジ１が挿脱可能に一体収嵌されるので、容易に解離することができ、収嵌スペース内の逆止弁カートリッジ或いは逆止弁機構を簡単に取り出すことができ、修理、交換を行える。
【産業上の利用可能性】
【００２３】
本発明に係る逆止弁の装嵌構造とパッキン一体型逆止弁及び伸縮管ユニットは、破損し易い逆止弁カートリッジケージの構造を強化し、破損により２次側配管内にその部品等が流失して水路閉塞等の事故を発生させることを防止したので、水道施設産業上に高
度の利用価値を有するものである。
【符号の説明】
【００２４】
１      逆止弁カートリッジ
１１    カートリッジケージ
１２    逆止弁の弁座
１３    逆止弁の弁体
１４    弁体を付勢するスプリング
１５    逆止弁カートリッジのフランジ躯体
１５ａ  フランジ躯体のフランジ部
１５ｂ  フランジ部に嵌装されるガスケット
１６    カートリッジのフランジ体
１７    Ｏリング
２      伸縮管ユニット
２１    伸縮管
２２    伸縮管１次側の嵌合突起
２２ａ  Ｏリング
２２ｂ  パッキン
２３    伸縮管２次側の嵌合突起
２３ａ  金属リング
２４    伸縮管１次側の袋ナット
２５    伸縮管２次側の袋ナット
２６    伸縮管に設定されたカートリッジ収嵌スペース
２７    伸縮管ユニットの通水路
３      止水栓
３１    止水栓の２次側端部雄螺子
３２    止水栓の通水路
４      水道メータ
４１    水道メータの１次側端部
４２    水道メータの１次側端部外周に設けられた雄螺子
【図１】
2015086962.tif 000003
【図２】
2015086962.tif 000004
【図３】
2015086962.tif 000005
【図４】
2015086962.tif 000006
【図５】
2015086962.tif 000007